(57)【要約】【課題】くるみ製本用のデータ編集装置およびプログラムにおいて、小口を見るだけで書籍を容易に識別でき、且つ本紙の美観を損ねることを回避する。【解決手段】  複数の本紙を書籍にくるみ製本するために、複数の本紙のデータ編集において、書籍を識別されるためのタイトル関連画像ＴＧを所定方向に分割してタイトル片画像ＴＰＧとする。タイトル片画像ＴＰＧを、平らに閉じた書籍の小口を見ることで書籍を認識できる状態で、本紙の小口側の端を含む領域に印刷されるようにするとともに、タイトル片画像ＴＰＧに少なくとも隣接する領域に任意の付加画像ＦＧが印刷されるように、データを編集する。【選択図】図２
2013178698.tif 000002
【特許請求の範囲】
【請求項１】
複数の本紙を書籍にくるみ製本するために、前記複数の本紙のデータを編集するデータ編集装置であって、
前記書籍を識別させるための書籍識別画像を所定方向に分割した書籍識別片画像が、平らに閉じた前記書籍の小口を見ることで前記書籍を認識できる状態で、前記各本紙の前記小口側の端を含む領域に印刷されるように、前記データを編集する書籍識別画像編集部と、
前記書籍識別片画像に少なくとも隣接する領域に任意の付加画像が印刷されるように、前記データを編集する付加画像編集部とを備えたことを特徴とするデータ編集装置。
【請求項２】
前記付加画像編集部が、インデックス情報を表すインデックス画像を含んだ前記付加画像が印刷されるように、前記データを編集するものであることを特徴とする請求項１に記載のデータ編集装置。
【請求項３】
前記付加画像編集部が、前記付加画像が前記各本紙上の同じ位置および同じ大きさとなるように、前記データを編集するものであることを特徴とする請求項１または２に記載のデータ編集装置。
【請求項４】
複数の本紙を書籍にくるみ製本するために、前記複数の本紙のデータを編集するためにコンピュータを、
前記書籍を識別させるための書籍識別画像を所定方向に分割した書籍識別片画像を、平らに閉じた前記書籍の小口を見ることで前記書籍を認識できる状態で、前記各本紙の前記小口側の端を含む領域に印刷されるように、前記データを編集する書籍識別画像編集手段と、
前記書籍識別片画像に少なくとも隣接する領域に、該書籍識別片画像と識別できる付加画像が印刷されるように、前記データを編集する付加画像編集手段として機能させるためのデータ編集プログラム。
【発明の詳細な説明】
【技術分野】
【０００１】
本発明はくるみ製本用のデータ編集装置およびプログラムに関する。より詳しくは、製本された書籍の小口を見ることにより、所有者が当該書籍を識別できるくるみ製本用のデータ編集装置およびプログラムに関する。
【背景技術】
【０００２】
従来、複数の本紙を束ねた本紙束を表紙で包んで書籍に製本するくるみ製本が知られている。また、書籍の小口に画像を印刷する技術も知られている。特許文献１には、小口印刷用の印刷装置を設けて書籍の小口に画像を直接印刷する技術が提案されている。
【０００３】
しかしながら、特許文献１に提案されている技術では、小口印刷用の印刷装置を本紙および表紙印刷用の印刷装置とは別に設ける必要がある。このような問題を回避するために、特許文献２には、小口に印刷する画像をスライスしたスライス画像を本紙の各頁の小口端から所定距離だけシフトした領域に綴じ順に印刷することにより、閉じた書籍を湾曲させることでタイトルを認識できる技術が提案されている。
【先行技術文献】
【特許文献】
【０００４】
【特許文献１】特開２００４−３３０６６８号公報
【特許文献２】特開２０１０−２０５１１３号公報
【発明の概要】
【発明が解決しようとする課題】
【０００５】
しかしながら、特許文献２に提案されている技術では、書籍を閉じて湾曲させない限りタイトルを認識することができない。したがって、小口が表となるように整列させて書籍を書棚に収納してしまった場合には、書棚から一旦引き出さない限り当該書籍を識別できず、煩わしさを感じる虞がある。さらに、本紙の小口端の近傍には、本文とは関係のないスライス画像が印刷されているため、本紙の美観を損ねる虞もある。
【０００６】
本発明の目的は、上記事情に鑑み、閉じた書籍を湾曲させることなく、小口を見るだけで書籍を容易に識別でき、且つ本紙の美観を損ねることのないデータ編集装置およびプログラムを提供することにある。
【課題を解決するための手段】
【０００７】
本発明のデータ編集装置は、複数の本紙を書籍にくるみ製本するために、複数の本紙のデータを編集するデータ編集装置であって、書籍を識別させるための書籍識別画像を所定方向に分割した複数の書籍識別片画像が、平らにと閉じた書籍の小口を見ることで書籍を認識できる状態で、各本紙の小口側の端を含む領域に印刷されるように、データを編集する書籍識別画像編集部と、書籍識別片画像に少なくとも隣接する領域に任意の付加画像が印刷されるように、データを編集する付加画像編集部とを備えたことを特徴とする。
【０００８】
本発明のデータ編集プログラムは、コンピュータを上記のデータ編集装置として機能させるために、上記書籍識別画像編集部を書籍識別画像編集手段、上記付加画像編集部を付加画像編集手段として機能させるものである。
【０００９】
ここで、本発明のデータ編集装置およびプログラムにおける「本紙」とは、本文を構成する文字や数字や図や写真等が印刷された紙を意味する。「本紙のデータ」とは、用紙に本文を印刷するための本紙の画像データを意味する。上記「本紙のデータを編集する」とは、本紙の画像データを編集する意味であり、本紙内の既存の画像等の位置や、大きさや、向きを変更することに限定されず、新たな画像等を付加することをも含む意味である。
【００１０】
また、上記「書籍識別画像」とは、書籍の所有者が、その画像を視認すると、所有者がその書籍を連想することにより、当該書籍を他の書籍と識別できる情報を表す画像であり、たとえば、タイトルを表す画像、タイトルの一部を表す画像、著者や登場人物を表す画像、書籍の発行日を表す画像、表表紙のサムネイル画像であってもよい。
【００１１】
また、上記「平らに閉じた」とは、書籍を湾曲させることなく平坦に閉じている状態を意味する。また、上記「書籍を認識できる状態」とは、平らに閉じた書籍の小口を見ることにより、その書籍が連想されて認識できる状態を意味する。また、上記「少なくとも隣接する」とは、書籍識別片画像に隣接した状態だけでなく、書籍識別片画像と重なる状態をも含む意味である。
【００１２】
また、本発明のデータ編集装置は、付加画像編集部が、インデックス情報を表すインデックス画像を含んだ付加画像が印刷されるように、データを編集するものであってもよい。ここで上記「インデックス情報」とは、本紙の各頁が属する章情報を意味する。
【００１３】
また、本発明のデータ編集装置は、付加画像編集部が、各付加画像が各本紙上の同じ位置および同じ大きさとなるように、データを編集するものであってもよい。
【発明の効果】
【００１４】
本発明のデータ編集装置およびプログラムによれば、書籍を識別させるための書籍識別画像を所定方向に分割した複数の書籍識別片画像が、平らに閉じた書籍の小口を見ることで書籍を認識できる状態で、各本紙の小口側の端を含む領域に印刷されるように、データを編集し、書籍識別片画像に少なくとも隣接する領域に任意の付加画像が印刷されるように、データを編集することにより、書籍を平らに閉じた状態であっても書籍を容易に識別できるとともに、書籍識別片画像に少なくとも隣接している付加画像によって本紙の美観を損なうことも回避できる。
【００１５】
また、本発明のデータ編集装置によれば、インデックス情報を表すインデックス画像を含んだ付加画像が印刷されるように、データを編集することにより、書籍を平らに閉じた状態であっても書籍を容易に識別できるとともに、付加画像がインデックス画像として視認されることによって本紙の美観を損なうことをより回避できる。
【００１６】
また、本発明のデータ編集装置によれば、各付加画像が各本紙上の同じ位置および同じ大きさとなるように、データを編集することにより、書籍を平らに閉じた状態であっても書籍を識別できるとともに、統一された付加画像によって本紙の美観を損なうことをより回避できる。
【図面の簡単な説明】
【００１７】
【図１】くるみ製本システムの概略構成図
【図２】データ編集プログラムのブロック図
【図３Ａ】表紙印刷画像の編集画面を示す図（その１）
【図３Ｂ】表紙印刷画像の編集画面を示す図（その２）
【図４】本紙印刷画像の編集画面を示す図
【図５】タイトル片画像の形成を示す模式図
【図６】タイトル片画像の合成を示す模式図
【図７】タイトル片画像が印刷された書籍を示す図
【図８】付加画像の合成を示す模式図
【図９】データ編集部の一連の処理を示すフローチャート
【発明を実施するための形態】
【００１８】
発明の実施形態について図面を参照して説明する。図１は、本発明の一実施形態に係る製本データ部４４を用いたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００１９】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて１枚の表紙Ｃおよび複数枚の本紙Ｈを印刷し、製本装置３において、複数枚の本紙Ｈを束ねて表紙Ｃで包んで書籍に製本する。
【００２０】
原稿データＤＤは、表紙Ｃの原稿（以下、表紙原稿ＣＤという。）を表す表紙原稿データＣＤＤと本紙Ｈの原稿（以下、本紙原稿ＨＤという。）を表す本紙原稿データＨＤＤとから構成される。
【００２１】
画像データＧＤは、表紙Ｃの印刷画像（以下、表紙画像ＣＧという）を表す表紙画像データＣＧＤと複数の本紙Ｈの印刷画像（以下、本紙画像ＨＧという）を表す複数の本紙画像データＨＧＤとから構成される。
【００２２】
印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００２３】
最初に印刷装置２について説明する。印刷装置２は、印刷データＰＤをコンピュータ４からネットワークを介して受け取り、表紙印刷データＣＰＤに基づいて表紙用紙に１枚の表紙Ｃと本紙印刷データＨＰＤに基づいて本紙用紙に複数枚の本紙Ｈを印刷するものである。印刷装置２は、印刷制御部２１、画像データ記憶部２２、印刷給紙部２３および印刷部２４を備えている。
【００２４】
本紙用紙は、写真、図等を含む本紙を印刷する画像用用紙と、文字、数字等のみを含む本紙を印刷する非画像用用紙とから構成される。本実施形態では、画像用用紙に厚紙（マット紙）、非画像用用紙に薄紙（普通紙）を用いる。なお、本紙用紙の種類および種類数は特に限定されず、表紙用紙も１種類に限定されるものではない。
【００２５】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤに展開する。印刷制御部２１は、表紙印刷データＣＰＤに基づいて表紙画像データＣＧＤ、本紙印刷データＨＰＤに基づいて複数の本紙画像データＨＧＤにそれぞれ展開する。
【００２６】
画像データ記憶部２２は、表紙画像データＣＧＤおよび複数の本紙画像データＨＧＤを印刷が行われるまで記憶するものである。
【００２７】
印刷給紙部２３は、印刷部２４に表紙用紙、厚紙または薄紙を給紙するものである。印刷給紙部２３は、表紙用紙を給紙トレイ２３Ａ、厚紙を給紙トレイ２３Ｂ、薄紙を給紙トレイ２３Ｃにそれぞれ収納する。用紙給紙部２３は、収納されている表紙用紙および本紙用紙の大きさ、厚み、名称等の情報を記憶している。
【００２８】
印刷部２４は、画像データＧＤに基づいて、１枚の表紙Ｃおよび／または複数枚の本紙Ｈを印刷するものである。印刷部２４は、表紙画像データＣＧＤに基づいて、表紙用紙に表紙Ｃを印刷し、本紙画像データＨＧＤに基づいて、厚紙または薄紙に複数枚の本紙Ｈを印刷する。印刷部２４には、孔版印刷プリンタやインクジェットプリンタやレーザープリンタ等を用いてもよい。
【００２９】
本紙印刷データＨＰＤには、用紙種類情報が付加されており、印刷制御部２１は、用紙種類情報に基づいて、印刷給紙部２３に厚紙または薄紙を給紙させる。また、本紙印刷データＨＰＤには、頁数情報、片面印刷または両面印刷かの印刷条件情報も付加されており、印刷制御部２１は、これらの情報に基づいて、本紙Ｈの枚数に本紙用紙１枚あたりの厚みを乗算して本紙束の厚みを算出し、印刷部２４に適切なサイズの表紙用紙に表紙を印刷させる。
【００３０】
次に製本装置３について説明する。製本装置３は、くるみ製本装置であり、複数枚の本紙Ｈを本紙束に束ね、本紙束の背側の側面に接着剤を塗布した後に表紙Ｃで包んで製本するものである。また、製本装置３は、本紙束の小口側、天側および地側の各側面から所定寸法だけ内側を裁断（以下、化粧裁ちと言う。）して製本できる。本実施形態では、化粧裁ちが行われるものとする。
【００３１】
次にコンピュータ４について説明する。コンピュータ４は、表示部４Ａ、入力部４Ｂおよび本体４Ｃから構成されている。表示部４Ａは、液晶モニタ等の表示装置であり、後述する原稿データ作成プログラム、プリンタドライバおよびデータ編集プログラムを表示する。
【００３２】
入力部４Ｂは、キーボード、マウス、ポインティングデバイス等の入力装置であり、ユーザによる原稿データ作成プログラム、プリンタドライバおよびデータ編集プログラムに対する指示を受け付ける。
【００３３】
本体４Ｃは、中央処理装置（ＣＰＵ）および半導体メモリやハードディスク等から構成され、メモリ４１に原稿データ作成プログラム、プリンタドライバおよびデータ編集プログラムをインストールすることにより、コンピュータ４を、原稿データ作成部４２、印刷出力部４３およびデータ編集部４４として機能させる。
【００３４】
メモリ４１は、原稿データ作成プログラム、プリンタドライバ、データ編集プログラム、原稿データＤＤおよび画像データＧＤを記憶するものである。なお、原稿データＤＤおよび画像データＧＤは、コンピュータ４以外の他のコンピュータで作成されたものであってもよい。
【００３５】
原稿データ作成プログラムは、原稿データＤＤを生成するプログラムである。原稿データ作成プログラムには、原稿作成用としてMicrosoft社のWord、Excel（登録商標）、PowerPoint（登録商標）、原稿データＤＤへの変換用としてPDF（登録商標）ドライバ等のプログラムを用いてもよい。
【００３６】
原稿データ作成部４２は、表紙原稿ＣＤおよび本紙原稿ＨＤを表示部４Ａに表示しながら、入力部４Ｂが受け付けるユーザ操作に基づいて形成し、PDF（Portable Document Format）形式の原稿データＤＤを生成する。原稿データ作成部４２は、本紙原稿ＨＤの頁情報およびインデックス情報を本紙原稿データＨＤＤに付加する。
【００３７】
印刷出力部４３は、データ編集部４４から画像データＧＤを受け取り、印刷データＰＤを生成して印刷装置２に出力するものである。プリンタドライバは、データ編集部４４が印刷処理を行うことで起動される。
【００３８】
本発明の一実施形態であるデータ編集部４４は、原稿データＤＤに基づいて、画像データＧＤを生成するものであり、表紙原稿データＣＤＤに基づいて表紙画像データＣＧＤ、本紙原稿データＨＤＤに基づいて複数の本紙画像データＨＧＤを生成する。本実施形態においては、書籍識別画像としてタイトル関連画像ＴＧ、書籍識別片画像としてタイトル片画像ＴＰＧを用いて説明する。
【００３９】
図２はデータ編集部４４のブロック図を示す。データ編集部４４は、図２に示す通り、制御部４４１、表紙画像データ生成部４４２、本紙画像データ生成部４４３、タイトル片画像データ生成部４４４、タイトル片画像データ合成部４４５、タイトル片画像合成制御部４４６および付加画像データ合成部４４７から構成されている。
【００４０】
制御部４４１は、各部を制御することより、データ編集部４４の全体を制御するものである。また、制御部４４１は、入力部４Ｂが受け付けたユーザ指定の原稿データＤＤをメモリ４１から読み出すものでもある。さらに、制御部４４１は、印刷給紙部２３と通信することにより、表紙用紙および本紙用紙の用紙種類情報を取得するものでもある。
【００４１】
表紙画像データ生成部４４２は、表紙原稿データＣＤＤに基づいて、表紙画像データＣＧＤを作成するものである。図３Ａおよび図３Ｂは表紙画像ＣＧの編集画面を示す。表紙画像データ生成部４４２は、図３Ａおよび図３Ｂに示すように、白紙表紙画像上に表紙原稿ＣＤを配置して表紙画像ＣＧを表示するとともに、表紙画像ＣＧのサムネイル画像も表示する。
【００４２】
ユーザは表紙画像ＣＧを参照しながら、白紙表紙画像上の表紙原稿ＣＤが所望の位置、方向および大きさとなるように入力部４Ｂを操作する。表紙画像データ生成部４４２は、入力部４Ｂが受け付けた操作情報に基づいて、表紙画像ＣＧを編集して表紙画像データＣＧＤを生成する。
【００４３】
表紙画像ＣＧは、図３に示す通り、表表紙画像、背表紙画像、裏表紙画像、表表紙の裏面画像、背表紙の裏面画像および裏表紙の裏面画像から構成される。図３は、左綴じ用の表紙Ｃの表紙画像ＣＧを示している。なお、左綴じ用の表紙Ｃに限定されるものではなく、右綴じ用または上綴じ用の表紙Ｃにも対応可能である。
【００４４】
表紙画像データ生成部４４２は、入力部４Ｂが受け付けた製本の綴じ位置情報に基づいて、表表紙画像、背表紙画像、裏表紙画像、表表紙の裏面画像、背表紙の裏面画像および裏表紙の裏面画像の白紙表紙画像上の配置順を変更できる。表紙画像データ生成部４４２は、表紙Ｃが左綴じ、右綴じまたは上綴じであるかに応じて、配置順を変更できる。
【００４５】
表紙画像データ生成部４４２は、入力部４Ｂが受け付けたタイトルに関する情報に基づいて、タイトル関連画像ＴＧを白紙表紙上に配置できる。本実施形態では、タイトル関連画像ＴＧは背表紙画像として配置されるが、特に限定されるものではない。表紙画像データ生成部４４２は、入力部４Ｂが受け付けた表紙用紙の用紙種類情報を表紙画像データＣＧＤに付加できる。
【００４６】
本紙画像データ生成部４４３は、本紙原稿データＨＤＤに基づいて、複数の本紙画像データＨＧＤを作成するものである。図４は本紙画像ＨＧの編集画面を示す。本紙画像データ生成部４４３は、図４に示すように、本紙原稿データＨＤＤに基づいて、白紙本紙画像上に本紙原稿ＨＤを配置して各本紙画像ＨＧを頁順に表示するとともに、各本紙画像ＣＧのサムネイル画像も表示する。
【００４７】
ユーザは本紙画像ＨＧを参照しながら、白紙本紙画像上の本紙原稿ＨＤが所望の位置、方向および大きさとなるように入力部４Ｂを操作する。本紙画像データ生成部４４３は、入力部４Ｂが受け付けた操作情報に基づいて、本紙画像ＨＧを編集して本紙画像データＨＧＤを生成する。
【００４８】
また、本紙画像データ生成部４４３は、入力部４Ｂが受け付けた面付け情報に基づいて、本紙白紙画像上に面数分の本紙原稿ＨＤを配置する。また、本紙画像データ生成部４４３は、入力部４Ｂが受け付けた片面印刷または両面印刷であるかの印刷条件に基づいて、各本紙画像ＨＧが本紙の表面または裏面のいずれに属するかの識別を表示する。さらに、本紙画像データ生成部４４３は、入力部４Ｂが受け付けた本紙用紙の用紙種類情報を本紙画像データＨＧＤに付加できる。
【００４９】
図５はタイトル片画像の形成を模式的に示す。タイトル片画像データ生成部４４４は、図５に示すように、タイトルに関する情報に基づいて、タイトル関連画像ＴＧを表すタイトル画像データＴＧＤを生成し、タイトル関連画像ＴＧを所定方向に所定数で分割して複数のタイトル片画像ＴＰＧを表す複数のタイトル片画像データＴＰＧＤを生成するものである。
【００５０】
タイトルに関する情報は、入力部４Ｂが受け付けてもよいし、表紙画像ＣＧの一部、たとえば、背表紙画像より抽出してもよい。タイトル関連画像ＴＧの分割方向および分割数は、入力部４Ｂが受け付けてもよいし、予め定められていてもよい。なお、分割数は、本紙枚数に基づいて、設定してもよい。
【００５１】
タイトル片画像データ合成部４４５は、平らにと閉じた書籍の小口を見ることでユーザが書籍を認識できる状態で各本紙Ｈの小口側の端を含む領域にタイトル片画像ＴＰＧが印刷されるように、各タイトル片画像データＴＰＧＤを各本紙画像データＨＧＤに合成するものである。
【００５２】
図６はタイトル片画像の合成を模式的に示す。タイトル片画像データ合成部４４５は、図６に示すように、タイトル片画像ＴＰＧの上下方向を本紙画像ＨＧの天地方向に一致させた状態で、本紙Ｈの小口側の端を含む内側の領域に相当する本紙画像ＨＧ上に各タイトル片画像ＴＰＧが配置されるように、各タイトル片画像データＴＰＧＤを各本紙画像データＨＧＤに合成する。
【００５３】
図６において、本紙Ｈの小口側、天側および地側の各端に相当する部分は、本紙画像ＨＧ上の破線として示している。ここで、本紙画像ＨＧのうち、当該破線よりも内側が製本される領域であり、外側が化粧裁ちされて製本されない領域である。タイトル片画像データ合成部４４５は、タイトル片画像ＴＰＧが小口側の破線を含み当該破線よりより内側５ｍｍ以内、望ましくは３ｍｍ以内、より望ましくは２ｍｍ以内の領域にタイトル片画像ＴＰＧが配置されるように、各タイトル片画像データＴＰＧＤを各本紙画像データＨＧＤに合成する。
【００５４】
本紙画像ＨＧ上の小口側、天側および地側に相当する部分は、化粧裁ちの寸法情報に基づいて特定される。化粧裁ちの寸法情報は、入力部４Ｂが受け付けてもよいし、予め記憶されていてもよい。なお、データ編集プログラム４４は、化粧裁ちを行わない場合にも対応可能である。
【００５５】
また、タイトル片画像データ合成部４４５は、平らに閉じた状態の小口を見ることでユーザがタイトルを認識して書籍を識別できるようにするため、各タイトル片画像の順番と本紙Ｈの綴じ順と一致させ、且つ各タイトル片画像の互いの相対的な位置関係を維持した状態で各タイトル片画像データＴＰＧＤを各本紙画像データＨＧＤに合成する。さらに、タイトル片画像データ合成部４４５は、タイトル関連画像ＴＧが小口上の所望の位置に表示されるように、各タイトル片画像データＴＰＧＤを各本紙画像データＨＧＤに合成する。タイトル関連画像ＴＧの小口上の表示位置は、入力部４Ｂが受け付けてもよいし、予め記憶されていてもよい。
【００５６】
図７はタイトル片画像ＴＰＧが印刷された書籍を示す。各本紙画像データＨＤは、本紙画像Ｇ上の破線を含む領域にタイトル片画像ＴＰＧが配置されているため、印刷された本紙Ｈの小口側の端には、各タイトル片画像ＴＰＧ内の小口側の端の画像が視認される。これにより、図７に示す通り、平らに閉じた書籍の小口にはタイトルを認識できるような画像が表示される。
【００５７】
タイトル片画像合成制御部４４６は、タイトル片画像データ合成部４４５に、各本紙Ｈの表面に対応する各本紙画像データＨＧＤまたは裏面に対応する各本紙画像データＨＧＤのいずれかにのみ各タイトル片画像データＴＰＧＤを合成させるのか、もしくは、表面および裏面に対応する各本紙画像データＨＧＤの両方に各タイトル片画像データＴＰＧＤを合成させるのかを制御するものである。
【００５８】
タイトル片画像合成制御部４４６は、入力部４Ｂが受け付けたユーザ指示に基づいて、
表面または裏面に対応する各本紙画像データＨＧＤのいずれかにのみ各タイトル片画像データＴＰＧＤを合成し、表面および裏面に対応する各本紙画像データＨＧＤの両方に各タイトル片画像データＴＰＧＤを合成するように、タイトル片画像データ合成部４４５を制御することもできる。これにより、印刷装置２での印刷位置の精度を考慮し、十分な印刷位置精度が得られない場合の両面印刷での位置ずれによるタイトル関連画像ＴＧの認識不良を回避できる。
【００５９】
また、タイトル片画像合成制御部４４６は、本紙Ｈの用紙種類情報を受け取り、用紙種類情報に基づいて、用紙種類情報が薄紙の場合は表面または裏面に対応する各本紙画像データＨＧＤのいずれかにのみ各タイトル片画像データＴＰＧＤを合成し、用紙種類情報が厚紙の場合は表面および裏面に対応する各本紙画像データＨＧＤの両方に各タイトル片画像データＴＰＧＤを合成するように、タイトル片画像データ合成部４４５を制御することもできる。これにより、印刷装置２での印字状態を考慮し、タイトル片画像ＴＰＧを両面に印刷することでのインク滲み等によるタイトル関連画像ＴＧの認識不良を回避できる。
【００６０】
付加画像データ合成部４４７は、任意の付加画像ＦＧを表す付加画像データＦＧＤを生成し、タイトル片画像データＴＰＧＤが合成された本紙画像データＨＧＤに付加画像データＦＧＤをさらに合成するものである。付加画像ＦＧは、特に限定されるものではなく、たとえば、帯画像、網掛け画像、装飾用の画像等を用いることができる。
【００６１】
図７は付加画像の合成を模式的に示す。付加画像データ合成部４４７は、図７に示すように、付加画像ＦＧがタイトル片画像ＴＰＧに少なくとも隣接して配置されるように、各本紙画像データＨＧＤに各付加画像データＦＧＤを合成する。
【００６２】
付加画像データ合成部４４７は、付加画像ＦＧがタイトル片画像ＴＰＧと重なるように各付加画像データＦＧＤを合成してもよいが、付加画像ＦＧが本紙Ｈの小口側の端に相当する部分、すなわち本紙画像ＨＧ上の小口側の破線上に配置されないように、各付加画像データＦＧＤを合成する。
【００６３】
また、付加画像データ合成部４４７は、付加画像ＦＧが本紙画像ＨＧ上の本文と重ならないように、各付加画像データＦＧＤを合成する。また、付加画像データ合成部４４７は、付加画像ＦＧが同一の本紙画像ＨＧ上に存在する全てのタイトル片画像ＴＰＧに少なくとも隣接するように、各付加画像データＦＧＤを合成する。また、付加画像データ合成部４４７は、付加画像ＦＧが、小口側の破線よりも望ましくは２０ｍｍ以内の内側に配置されるように、各付加画像データＦＧＤを合成する。
【００６４】
また、付加画像データ合成部４４７は、図８に示すように、本紙原稿データＨＤＤに付加されたインデックス情報に基づいて、インデックス情報を表すインデックス画像ＩＧを含んだ付加画像ＦＧを表示するように、付加画像データＦＧＤを合成できる。また、付加画像データ合成部４４７は、各付加画像ＦＧが各本紙画像上において同じ位置および同じ大きさとなるように、各付加画像データＦＧＤを合成できる。
【００６５】
次にデータ編集部４４の作用を説明する。図８はデータ編集部４４の一連の処理を示すフローチャートである。最初に、制御部４４１がユーザ指定の原稿データＤＤを読み出す（ＳＴ１）。表紙画像データ生成部４４２が、表紙原稿データＣＤＤに基づいて、表紙画像ＣＧを表示して表紙画像データＣＧＤを生成する（ＳＴ２）。表紙画像ＣＧの編集中にタイトルに関する情報を受け付けると、タイトル片画像データ生成部４４４が、タイトル関連画像ＴＧを作成し、タイトル関連画像ＴＧを分割したタイトル片画像ＴＰＧを表す複数のタイトル片画像データＴＰＧＤを生成する（ＳＴ３）。
【００６６】
本紙画像データ生成部４４３が、本紙原稿データＨＤＤに基づいて、本紙画像ＨＧを表示して本紙画像データＨＧＤを生成する（ＳＴ４）。タイトル片画像合成制御部４４６が、各本紙画像データＨＧＤに付加された用紙種類情報が厚紙であるか、薄紙であるかを判別する（ＳＴ５）。
【００６７】
タイトル片画像合成制御部４４６は、用紙種類情報が厚紙の場合にタイトル片画像データ合成部４４５に表面および裏面に対応する本紙画像データＨＧＤの両方にタイトル片画像データＴＰＧＤを合成し（ＳＴ６）、用紙種類情報が薄紙の場合にタイトル片画像データ合成部４４５に表面または裏面に対応する本紙画像データＨＧＤのいずれかにのみタイトル片画像データＴＰＧＤを合成する（ＳＴ７）。付加画像データ合成部４４７が、タイトル片画像データＴＰＧＤが合成された各本紙画像データＨＧＤに付加画像データＦＧＤを合成し（ＳＴ８）、処理を終了する。
【００６８】
なお、本紙画像データＨＧＤの生成と表紙画像データＣＧＤの生成の順序は特に限定されるものではない。また、本実施形態では、タイトル片画像データ生成部４４４がタイトル片画像データＴＧＤおよびタイトル片画像データＴＰＧＤを生成しているが、データ編集部４４は、外部で作成したこれらのデータを用いてもよい。また、本実施形態では、本紙画像データＨＧＤにタイトル片画像データＴＰＧＤを合成し、さらに付加画像データＦＧＤを合成しているが、タイトル片画像ＴＰＧおよび付加画像ＦＧＤを別々のデータに分けることなく処理してもよい。また、本実施形態では、書籍識別画像としてタイトル関連画像ＴＧ、書籍識別片画像としてタイトル片画像ＴＰＧを用いているが、所有者が書籍を識別できる画像であれば特に限定されるものではなく、たとえば、著者や主人公等を表す画像を用いてもよい。そして、これらの画像を書籍識別画像とした場合、タイトル片画像データ生成部４４４およびタイトル片画像データＴＧＤが、タイトル関連画像ＴＧおよびタイトル片画像ＴＰＧと同様の処理を行うものであってもよい。
【００６９】
最後にくるみ製本システム１全体の作用を説明する。コンピュータ４が、原稿データ作成プログラムを起動して表示部４Ａに表示する。原稿データ作成部４２が、入力部４Ｂが受け付けたユーザ操作に基づいて、原稿データＤＤを生成する。コンピュータ４が、データ編集プログラムを起動して表示部４Ａに表示する。
【００７０】
原稿データ編集部４４が、入力部４Ｂが受け付けたユーザ操作に基づいて、画像データＧＤを生成する。データ編集部４４が印刷処理を実行すると、コンピュータ４が、プリンタドライバ４３を起動して表示部４Ａに表示する。印刷出力部４３が、画像データＧＤに基づいて印刷データＰＤを生成し、印刷装置２に出力する。印刷装置２が、印刷データＰＤに基づいて、１枚の表紙Ｃと複数枚の本紙Ｈを印刷し、製本装置３が、複数枚の本紙Ｈを束ね、本紙束を表紙Ｃで包んで製本する。
【００７１】
以上に述べた通り、データ編集部４４によれば、本紙Ｈの小口側の端を含む領域にタイトル片画像ＴＰＧが印刷されるように、本紙画像データＨＧＤが生成されるため、書籍を平らに閉じた状態であっても小口にはタイトルを認識させる画像が表示され、所有者がその本を連想して容易に書籍を識別できる。そして、各本紙Ｈのタイトル片画像ＴＰＧに少なくとも隣接して付加画像が印刷されるため、本紙Ｈの美観を損なうことも回避できる。
【００７２】
また、データ編集部４４によれば、各本紙Ｈのタイトル片画像ＴＰＧに少なくとも隣接してインデックス情報を表す付加画像が印刷されるため、付加画像をインデックスとして認識することより、本紙Ｈの美観を損なうことをより回避できる。
【００７３】
また、データ編集部４４によれば、各本紙Ｈのタイトル片画像ＴＰＧに少なくとも隣接して各付加画像ＦＧが本紙Ｈ上の同じ位置および大きさで表示されるため、統一された付加画像を認識することにより、本紙Ｈの美観を損なうことをより回避できる。
【符号の説明】
【００７４】
Ｃ        表紙
ＤＤ      原稿データ
ＦＧ      付加画像
ＦＧＤ    付加画像データ
Ｈ        本紙
ＨＧ      本紙画像
ＨＧＤ    本紙画像データ
ＩＧ      インデックス画像
ＴＧ      タイトル関連画像
ＴＧＤ    タイトル関連画像データ
ＴＰＧ    タイトル片画像
ＴＰＧＤ  タイトル片画像データ
１        くるみ製本システム
２        印刷装置
３        製本装置
４        コンピュータ
４４      データ編集部
４４３    本紙画像データ生成部
４４４    タイトル片画像データ生成部
４４５    タイトル片画像データ合成部
４４６    タイトル画像合成制御部
４４７    付加画像データ合成部
【図１】
2013178698.tif 000003
【図２】
2013178698.tif 000004
【図３Ａ】
2013178698.tif 000005
【図３Ｂ】
2013178698.tif 000006
【図４】
2013178698.tif 000007
【図５】
2013178698.tif 000008
【図６】
2013178698.tif 000009
【図７】
2013178698.tif 000010
【図８】
2013178698.tif 000011
【図９】
2013178698.tif 000012